(57)【要約】【課題】圧迫感を感じることなく腰が伸ばされ、自由な動作を行うことができ、外見上の違和感を与えることがなく、凭れることもできる腰曲がり矯正具を提供する。【解決手段】腹部に沿わせる腹当板１と、胸部に沿わせる胸当板２と、背中に沿わせる屈伸可能な背当板３とを備え、また、胸当板２の上方に上部胸当板４を備え、腹当板１と胸当板２及び胸当板２と上部胸当板４とを、圧縮ばねとして作用するスプリングロッド５により連結し、スプリングロッド５の両端部の連結部に、それぞれ自在継手６を介在させ、腹当板１及び胸当板２と背当板３とを脇ベルト７で繋ぎ、背当板３と上部胸当板４とを脇ベルト１０で繋ぐようにする。スプリングロッド５で腹部から胸部を押し上げるようにして、腰曲がりを矯正するので、腰椎に圧縮方向の負担がかかることがなく、スプリングロッド５と自在継手６による連結構造で体の動作に追随し、捻るような動作も可能となる。【選択図】図１
2014090959.tif 000002
【特許請求の範囲】
【請求項１】
腹部に沿わせる腹当板(1)と、胸部に沿わせる胸当板(2)と、背中に沿わせる屈伸可能な背当板(3)とを備え、腹当板(1)と胸当板(2)とを、圧縮ばねとして作用するスプリングロッド(5)により連結し、スプリングロッド(5)の端部と腹当板(1)及び胸当板(2)との連結部に、それぞれ自在継手(6)を介在させ、腹当板(1)及び胸当板(2)と背当板(3)とを、脇部に沿わせる結合・分離可能な脇ベルト(7)で繋ぎ、
また、胸当板(2)の上方に上部胸当板(4)を備え、胸当板(2)と上部胸当板(4)とを、圧縮ばねとして作用するスプリングロッド(5)により連結し、スプリングロッド(5)の端部と胸当板(2)及び上部胸当板(4)との連結部に、それぞれ自在継手(6)を介在させ、背当板(3)と上部胸当板(4)とを、脇部に沿わせる結合・分離可能な脇ベルト(10)で繋ぎ、
スプリングロッド(5)の付勢力で腹部から胸部を押し上げ、スプリングロッド(5)の伸縮及び自在継手(6)の偏角により、装着状態で体の前屈及び捻る動作に追随するようにした腰曲がり矯正具。
【発明の詳細な説明】
【技術分野】
【０００１】
この発明は、ばねの弾性力を利用して、腰の曲がりを伸ばすように矯正する器具に関するものである。
【背景技術】
【０００２】
例えば、下記特許文献１には、腰を曲げた姿勢からの荷物の持上作業等を補助する器具として、図８に示すように、互いに揺動可能な複数の背骨部材５１Ａ〜５１Ｅを連結し、これらの背骨部材５１Ａ〜５１Ｅに引張ばねとして作用するコイルばね５２を貫通させ、上端に位置する背骨部材５１Ａと下端に位置する背骨部材５１Ｅとに、それぞれコイルばね５２の上端部及び下端部を係合させると共に、肩ベルト５３及び腰ベルト５４を設けたものが記載されている。
【０００３】
この補助具は、使用に際し、肩ベルト５３に腕を通すように背負い、腰ベルト５４を締めて装着する。そして、使用者が荷物を持ち上げる際、腰を曲げると、背骨部材５１Ａ〜５１Ｅが揺動し、コイルばね５２が引っ張られて、使用者の腰の曲がりを伸ばす方向へ補助する力が作用し、重い荷物を比較的楽に持ち上げることができる。
【０００４】
なお、背中側をばねの弾性力で引っ張る補助具は、下記特許文献２〜４等の文献にも記載されている。
【先行技術文献】
【特許文献】
【０００５】
【特許文献１】特開２０１２−２４５５７号公報
【特許文献２】特開２００５−３３９号公報
【特許文献３】特開２００９−２３８２８号公報
【特許文献４】特開２０１１−８７９２６号公報
【発明の概要】
【発明が解決しようとする課題】
【０００６】
ところで、加齢によって腰椎の変形や筋力の低下、神経の圧迫等が生じると、腰が深く曲がった状態となり、本人には大変な苦痛を伴い、日常の動作に支障が生じ、行動範囲が制約されるだけでなく、外見上も実際の年齢以上に老けた印象を与えがちとなる。
【０００７】
このような腰の曲がりを矯正する器具として、上記のような補助具を使用することが考えられるが、その場合、腰椎に圧縮方向の負担がかかり、長時間装着すると、腰部や腹部が苦しく感じたり、腰痛の原因となったりするおそれがある。
【０００８】
また、腰を捻るような運動に追随しないため、装着状態で動きにくく、運動が制約されるという問題がある。
【０００９】
さらに、服を着てその上に装着すると、補助具が目立ち、装着した補助具の上に服を着ると、服の背側が大きく膨らんで奇異な感じを与えるほか、装着状態で椅子の背凭れ等に凭れにくいという問題もあり、これらのことが日常生活を送る上で大きな障害となる。
【００１０】
そこで、この発明は、腰曲がり矯正具を装着した状態で、圧迫感を感じることなく腰が伸ばされ、自由な動作を行うことができ、外見上の違和感を与えることがなく、椅子の背凭れ等に凭れることもできるようにすることを課題とする。
【課題を解決するための手段】
【００１１】
上記のような課題を解決するため、この発明に係る腰曲がり矯正具は、腹部に沿わせる腹当板と、胸部に沿わせる胸当板と、背中に沿わせる屈伸可能な背当板とを備え、腹当板と胸当板とを、圧縮ばねとして作用するスプリングロッドにより連結し、スプリングロッドの端部と腹当板及び胸当板との連結部に、それぞれ自在継手を介在させ、腹当板及び胸当板と背当板とを、脇部に沿わせる結合・分離可能な脇ベルトで繋いだのである。
【００１２】
また、胸当板の上方に上部胸当板を備え、胸当板と上部胸当板とを、圧縮ばねとして作用するスプリングロッドにより連結し、スプリングロッドの端部と胸当板及び上部胸当板との連結部に、それぞれ自在継手を介在させ、背当板と上部胸当板とを、脇部に沿わせる結合・分離可能な脇ベルトで繋いだのである。
【００１３】
そして、スプリングロッドの付勢力で腹部から胸部を押し上げ、スプリングロッドの伸縮及び自在継手の偏角により、装着状態で体の前屈及び捻る動作に追随するようにしたのである。
【発明の効果】
【００１４】
この発明に係る腰曲がり矯正具では、装着状態において、スプリングロッドで腹部から胸部を押し上げるようにして、腰曲がりを矯正するので、腰椎に圧縮方向の負担がかかることがなく、楽に腰を伸ばすことができる。
【００１５】
また、スプリングロッドと自在継手による連結構造を採用したので、体の様々な動作に追随し、例えば、ラジオ体操のような捻る動作も無理なく行うことができる。
【００１６】
また、一般的なコルセットと同様、装着した上に服を着ても、服が膨らんで目立つことがなく、腰部全体を包囲するものではないため、夏場に暑く感じることもない。
【００１７】
さらに、背側には、スプリング等がなく、屈伸可能な背当板が存在するだけなので、装着状態で椅子の背凭れ等に凭れることができる。
【００１８】
そのほか、脇ベルトの結合・分離手段として、ワンタッチ型のバックルや面ファスナを使用すると、簡単に着脱することができる。
【００１９】
このように、手軽に装着して、腰曲がりを伸ばすように矯正でき、長時間装着して、歩行や様々な動作をすることができるので、腰曲がりの症状を有する者の日常生活を改善することができる。
【図面の簡単な説明】
【００２０】
【図１】この発明の実施形態に係る腰曲がり矯正具を体に装着しない状態で前方から示す斜視図
【図２】同上の腰曲がり矯正具の上部胸当板を取り外した状態を示す斜視図
【図３】同上の腰曲がり矯正具を装着した上に服を着た状態を示す斜視図
【図４】同上の腰曲がり矯正具の装着状態を（ａ）前方から示す斜視図、（ｂ）後方から示す斜視図
【図５】同上の装着状態で（ａ）前屈みになった状態を前方から示す斜視図、（ｂ）腰を捻った状態を前方から示す斜視図
【図６】同上の腰を伸ばした状態での要部構造を示す部分縦断側面図
【図７】同上の腰を屈めた状態での要部構造を示す部分縦断側面図
【図８】従来の腰を伸ばす補助具の装着状態を示す側面図
【発明を実施するための形態】
【００２１】
以下、この発明の実施形態を添付図面に基づいて説明する。
【００２２】
この腰曲がり矯正具は、図１及び図２に示すように、腹部に沿わせる腹当板１と、胸部に沿わせる胸当板２と、背中に沿わせる背当板３とを備えている。また、胸当板２の上方に、着脱自在に上部胸当板４を備えている。そして、通常の使用に際しては、図３に示すように、この腰曲がり矯正具を体に装着した状態で、その上に服を着る。
【００２３】
この腰曲がり矯正具において、図１に示すように、腹当板１及び胸当板２は、左右方向に長く延びた形状とされ、腹当板１は、腹部をしっかりと保持するため、胸当板２よりも上下方向の寸法が大きくなっている。上部胸当板４もまた、左右方向に長く延びた形状とされている。
【００２４】
背当板３は、上下方向に延びる柱部３ａと、その下端部及び上端部から左右方向に延びる枝部３ｂ，３ｃとから構成されている。柱部３ａは、屈伸を可能とするため、弾性を有するものとしたり、下部に蝶番３ｄを設けたものとするとよい。
【００２５】
背当板３の枝部３ｃは、胸当板２，４と同様、左右方向に長く延び、後述する脇ベルト７，１０による胸部の圧迫感が軽減されるようになっている。枝部３ｂは、枝部３ｃより短くなっているが、これは、圧迫感の軽減とは関係なく、背当板３の下部を腰に密着させるために設けたものだからである。
【００２６】
これらの腹当板１、胸当板２、背当板３及び上部胸当板４は、硬質プラスチックや金属薄板等から成る基材の裏面に、弾力性を有するゴムやスポンジ等をクッション材として貼り合わせたものとされている。
【００２７】
腹当板１と胸当板２とは、左右に間隔を開けて配置した２本のスプリングロッド５により連結され、スプリングロッド５の端部と腹当板１及び胸当板２の連結部には、それぞれ自在継手６が介在している。
【００２８】
スプリングロッド５は、図６及び図７に示すように、外筒体５ａに軸体５ｂをスライド自在に挿入し、外筒体５ａに内蔵した圧縮ばねとして作用するコイルばね５ｃにより、軸体５ｂを外筒体５ａから突出する方向へ付勢したものとされている。
【００２９】
自在継手６は、スプリングロッド５の端部のボール部６ａを、腹当板１及び胸当板２の受部６ｂのポケットに摺動自在に挿入したユニバーサルジョイントであるボールジョイントとされている。
【００３０】
なお、保管時における保形性を確保するため、スプリングロッド５と腹当板１及び胸当板２の連結部の自在継手６において、受部６ｂは、腹当板１及び胸当板２の端縁から少し離され、後傾方向への揺動が規制されるようになっている。これにより、体から外した状態でも、自立性が確保される。
【００３１】
また、図１に示すように、腹当板１及び胸当板２と背当板３とは、脇ベルト７で繋がれている。腹当板１と背当板３とを繋ぐ脇ベルト７の背側部分は、サポート性向上のため、上帯部７ａと下帯部７ｂとに分かれている。
【００３２】
脇ベルト７の一側の前寄りには、結合・分離手段及び長さ調整手段として、ワンタッチ型バックル８が設けられている。ワンタッチ型バックル８は、雄部材８ａを雌部材８ｂに差し込むだけで結合でき、ボタンを押すだけで分離できるものである。脇ベルト７の他側の前寄りには、長さ調整手段として、通常型バックル９が設けられている。
【００３３】
また、上部胸当板４は、左右に間隔を開けて配置した比較的短い２本のスプリングロッド５により胸当板２に連結され、スプリングロッド５の端部と胸当板２及び上部胸当板４の連結部には、自在継手６が介在している。自在継手６の受部６ｂは、胸当板２の保持部６ｃに対して、抜き差しできるようになっている。
【００３４】
背当板３と上部胸当板４とは、脇部に沿わせる２本の脇ベルト１０で繋がれている。これらの脇ベルト１０の後寄り及び一方の脇ベルト１０の前寄りには、結合・分離手段及び長さ調整手段として、ワンタッチ型バックル８が設けられ、脇ベルト１０の前寄りには、長さ調整手段として、通常型バックル９が設けられている。
【００３５】
なお、図２に示すように、上部胸当板４は、腰曲がりの程度や使用感を考慮して不要と判断した場合、胸当板２への連結用のスプリングロッド５の下端に位置する自在継手６の受部６ｂを、胸当板２の保持部６ｃから引き抜き、両方の脇ベルト１０をワンタッチ型バックル８で背当板３側から分離することにより、このスプリングロッド５及び脇ベルト１０と共に、取り外しておくことができる。
【００３６】
このような腰曲がり矯正具を装着する際には、脇ベルト７をワンタッチ型バックル８により分離した状態で、図４に示すように、腹当板１及び胸当板２を腹部及び胸部にそれぞれ沿わせ、背当板３を背中に沿わせる。そして、脇ベルト７を、体の両側の脇部に沿わせて、ワンタッチ型バックル８により脇ベルト７を結合し、ワンタッチ型バックル８と通常型バックル９により脇ベルト７を引き締める。
【００３７】
また、上部胸当板４を使用する場合には、脇ベルト１０を後部のワンタッチ型バックル８により背当板３に結合した状態で、脇ベルト１０を体の両側の脇部に沿わせ、上部胸当板４から垂下するスプリングロッド５の下端側となった自在継手６の受部６ｂを、胸当板２の保持部６ｃに挿入し、脇ベルト１０を引き締める。
【００３８】
この際、脇ベルト７，１０の前寄りにワンタッチ型バックル８を設けているので、一度長さを合わせておけば、腰曲がり矯正具の装着の都度、脇ベルト７，１０を締め直す必要がなく、腰曲がり矯正具の着脱を容易に行える。このワンタッチ型バックル８は、利き腕側（一般には右側）に設けておくと、腰曲がり矯正具の着脱作業が一段と容易になる。
【００３９】
このような腰曲がり矯正具では、体に装着した状態において、スプリングロッド５で腹部から胸部を押し上げるようにして、腰曲がりを矯正するので、腰椎に圧縮方向の負担がかかることがなく、楽に腰を伸ばすことができる。
【００４０】
また、スプリングロッド５と自在継手６による連結構造を採用したので、腹当板１、胸当板２及び上部胸当板４が互いに独立して体の動作に追随し、例えば、ラジオ体操等に際し、図５に示すように前屈したり、捻る動作も無理なく行うことができる。
【００４１】
このとき、スプリングロッド５は、図６に示すように、外筒体５ａから軸体５ｂが突出した状態から、図７に示すように、コイルばね５ｃが圧縮されて、外筒体５ａに軸体５ｂが押し込まれる状態へ遷移し、自在継手６により連結部分の偏角が許容される。そして、腰を伸ばす際には、コイルばね５ｃの付勢力により補助される。
【００４２】
また、この腰曲がり矯正具では、図３に示すように、一般的なコルセットと同様、装着した上に服を着ても、服が膨らんで目立つことがなく、腰部全体を包囲するものではないため、夏場に暑く感じることもない。さらに、背側にスプリング等がないため、装着状態で椅子の背凭れ等に凭れることができる。
【００４３】
なお、自在継手６としては、ボールジョイントに替えて、交差する２軸により偏角を許容するカルダン型のユニバーサルジョイントを用いてもよい。また、脇ベルト７，１０の結合・分離手段としては、ワンタッチ型バックル８に替えて、布にフック及びループ加工を施した面ファスナを用いてもよい。
【符号の説明】
【００４４】
１  腹当板
２  胸当板
３  背当板
３ａ  柱部
３ｂ，３ｃ  枝部
３ｄ  蝶番
４  上部胸当板
５  スプリングロッド
５ａ  外筒体
５ｂ  軸体
５ｃ  コイルばね
６  自在継手
６ａ  ボール部
６ｂ  受部
６ｃ  保持部
７  脇ベルト
７ａ  上帯部
７ｂ  下帯部
８  ワンタッチ型バックル
８ａ  雄部材
８ｂ  雌部材
９  通常型バックル
１０  脇ベルト
【図１】
2014090959.tif 000003
【図２】
2014090959.tif 000004
【図３】
2014090959.tif 000005
【図４】
2014090959.tif 000006
【図５】
2014090959.tif 000007
【図６】
2014090959.tif 000008
【図７】
2014090959.tif 000009
【図８】
2014090959.tif 000010
【手続補正書】
【提出日】平成25年1月22日(2013.1.22)
【手続補正１】
【補正対象書類名】特許請求の範囲
【補正対象項目名】請求項１
【補正方法】変更
【補正の内容】
【請求項１】
腹部に沿わせる腹当板(1)と、胸部に沿わせる胸当板(2)と、背中に沿わせる屈伸可能な背当板(3)とを備え、背当板(3)は、上下方向に延びる柱部(3a)と、その下端部及び上端部から左右方向に延びる枝部(3b,3c)とから構成し、柱部(3a)は、弾性を有すると共に、その下部に蝶番(3d)を設けたものとし、上方の枝部(3c)は、下方の枝部(3b)よりも左右方向に長く設定し、腹当板(1)と胸当板(2)とを、背側に配置せず、胸腹部前側にのみ配置した圧縮ばねとして作用するコイルばね内蔵のスプリングロッド(5)により連結し、スプリングロッド(5)の端部と腹当板(1)及び胸当板(2)との連結部に、それぞれ自在継手(6)を介在させ、腹当板(1)及び胸当板(2)と背当板(3)の枝部(3b,3c)とを、脇部に沿わせる結合・分離可能な脇ベルト(7)で繋ぎ、
また、胸当板(2)の上方に上部胸当板(4)を備え、胸当板(2)と上部胸当板(4)とを、背側に配置せず、胸腹部前側にのみ配置した圧縮ばねとして作用するコイルばね内蔵のスプリングロッド(5)により連結し、スプリングロッド(5)の端部と胸当板(2)及び上部胸当板(4)との連結部に、それぞれ自在継手(6)を介在させ、背当板(3)の上方の枝部(3c)と上部胸当板(4)とを、脇部に沿わせる結合・分離可能な脇ベルト(10)で繋ぎ、
スプリングロッド(5)の付勢力で腹部から胸部を押し上げ、スプリングロッド(5)の伸縮及び自在継手(6)の偏角により、装着状態で体の前屈及び捻る動作に追随するようにした腰曲がり矯正具。
【手続補正２】
【補正対象書類名】明細書
【補正対象項目名】００１１
【補正方法】変更
【補正の内容】
【００１１】
上記のような課題を解決するため、この発明に係る腰曲がり矯正具は、腹部に沿わせる腹当板と、胸部に沿わせる胸当板と、背中に沿わせる屈伸可能な背当板とを備え、背当板は、上下方向に延びる柱部と、その下端部及び上端部から左右方向に延びる枝部とから構成し、柱部は、弾性を有すると共に、その下部に蝶番を設けたものとし、上方の枝部は、下方の枝部よりも左右方向に長く設定し、腹当板と胸当板とを、背側に配置せず、胸腹部前側にのみ配置した圧縮ばねとして作用するコイルばね内蔵のスプリングロッドにより連結し、スプリングロッドの端部と腹当板及び胸当板との連結部に、それぞれ自在継手を介在させ、腹当板及び胸当板と背当板の枝部とを、脇部に沿わせる結合・分離可能な脇ベルトで繋いだのである。
【手続補正３】
【補正対象書類名】明細書
【補正対象項目名】００１２
【補正方法】変更
【補正の内容】
【００１２】
また、胸当板の上方に上部胸当板を備え、胸当板と上部胸当板とを、背側に配置せず、胸腹部前側にのみ配置した圧縮ばねとして作用するコイルばね内蔵のスプリングロッドにより連結し、スプリングロッドの端部と胸当板及び上部胸当板との連結部に、それぞれ自在継手を介在させ、背当板の上方の枝部と上部胸当板とを、脇部に沿わせる結合・分離可能な脇ベルトで繋いだのである。